(57)【特許請求の範囲】
【請求項１】
被測定物から検出された検出信号に基づいて、前記被測定物の状態を表示する表示装置を、被取付部に取り付けるための装置取付具であって、
人力によって塑性変形可能な長尺状の塑性部材を折り曲げて形成され、前記被取付部に掛止される掛止部と、前記表示装置が装着される装着部と、前記被取付部に対する前記表示装置の傾斜角度を折り曲げることにより調節する傾斜角度調節部とを、長手方向に沿ってこの順序で含んで構成されていることを特徴とする装置取付具。
【請求項２】
請求項１に記載の装置取付具において、
前記塑性部材は、金属製であり、
この金属製の塑性部材には、その表面に樹脂が塗布されていることを特徴とする装置取付具。
【請求項３】
請求項１に記載の装置取付具において、
前記塑性部材は、金属製であり、
この金属製の塑性部材は、ゴム材で被覆されていることを特徴とする装置取付具。
【請求項４】
請求項１〜請求項３のいずれかに記載の装置取付具において、
前記装着部は、前記表示装置に着脱可能とされる棒状部を有し、
前記表示装置において前記棒状部が装着される被装着部は、前記棒状部が内部に挿入される断面Ｃ字形の孔と、この孔の上部内側面に設けられ前記棒状部の孔からの脱落を防止する装着部脱落防止機構としての突出部とを有することを特徴とする装置取付具。
【請求項５】
請求項１〜請求項４のいずれかに記載の装置取付具において、
前記掛止部には、ボルト、釘等の取付部材が挿通可能な挿通孔が形成されていることを特徴とする装置取付具。
【請求項６】
請求項１〜請求項４のいずれかに記載の装置取付具において、
前記傾斜角度調節部は、前記表示装置を水平設置するために変形可能とされていることを特徴とする装置取付具。
【請求項７】
請求項１〜請求項６のいずれかに記載の装置取付具において、
前記塑性部材の上端および下端のうち、少なくともいずれか一方には、長手方向内側に凹んだ凹部が設けられていることを特徴とする装置取付具。
【発明の詳細な説明】
【０００１】
【発明の属する技術分野】
本発明は、被測定物から検出された検出信号に基づいて前記被測定物の状態を表示する表示装置を、被取付部に取り付けるための装置取付具に関するものである。
【０００２】
【背景技術】
近年、欧米諸国では、新生児（被験者）の死亡原因の第１位が突然死症候群（以下、ＳＩＤＳと略す）となっており、日本でも、ライフスタイルが欧米に近づくにつれ、ＳＩＤＳが増加している。
このような現状を踏まえ、病院や家庭で新生児の呼吸を含む体動を２４時間容易に監視でき、かつ、呼吸をしていない状態、すなわち、無呼吸状態を知ることができる体動検出装置の必要性が高まってきている。また、無呼吸症候群の成人の呼吸状態、および人工呼吸中における呼吸回路の外れ、ならびに気道の閉塞を検出する目的でも体動検出装置が利用されている。
ここで、体動検出装置は、被測定物である新生児の呼吸を含む体動を検出する検出マットと、この検出マットで検出された検出信号に基づいて新生児の呼吸を含む体動の状態を表示および警報する表示装置とを備えて構成されている。
【０００３】
一方、新生児が寝るような新生児用ベッドは、一般的に、当該新生児が載置される載置部と、この載置部の周縁から上方に延びる立ち上がり部とを備え、上面が開口されたものが使用されている。
このようなベッドには、載置部に検出マットが設置され、図１１に示されるように、被取付部である立ち上がり部１２０の上端部に、装置取付具１００を介して表示装置１１０が設けられ、これにより、載置部に載置される新生児の呼吸を含む体動を検出することが可能になっている。
この際、装置取付具１００は、表示装置１１０の背面に係合する係合部１０１と、立ち上がり部１２０の上端部に掛止される掛止部１０２とを備えて断面Ｌ字形状に形成されており、当該表示装置１１０は、この装置取付具１００によって立ち上がり部１２０に平行に配置されるようになっている。
【０００４】
【発明が解決しようとする課題】
このような装置取付具では、表示装置が立ち上がり部１２０の形状に倣うように装着されてしまうので、表示装置を見ようとすると、例えば、使用者がしゃがんだり、背伸びをしたり、ベッドを台車等に載せて高さレベルを高くしたりしなければ、当該表示装置を正対して見ることが困難であり、このため、表示装置の表示面が見にくいという問題がある。
特に、図１２に示されるように、立ち上がり部１２０の上端部が断面円形状に形成されている場合、装置取付具１００が上端部表面を滑って表示装置１１０の表示面が下向きになりやすく、より一層見にくくなるという問題がある。
【０００５】
本発明の目的は、ベッドの形状等に影響されることがなく、表示装置の表示を見やすくすることが可能な装置取付具を提供することにある。
【０００６】
【課題を解決するための手段】
本発明は、被測定物から検出された検出信号に基づいて、前記被測定物の状態を表示する表示装置を、被取付部に取り付けるための装置取付具であって、人力によって塑性変形可能な長尺状の塑性部材を折り曲げて形成され、被取付部に掛止される掛止部と、表示装置が装着される装着部と、被取付部に対する前記表示装置の傾斜角度を折り曲げることにより調節する傾斜角度調節部とを、長手方向に沿ってこの順序で含んで構成されていることを特徴とする。
ここで、被取付部としては、例えば、一般的に、新生児（被験者）が載置される載置部と、この載置部の周縁から上方に延びる立ち上がり部とを備え、上面が開口されたベッドの場合には、この立ち上がり部が採用できる。
このような本発明によれば、掛止部を被取付部に掛止した状態で傾斜角度調節部の傾斜角度を調節すれば、表示装置を、使用者の見やすい位置に簡単に設けることが可能となる。これにより、ベッドの形状等に影響されることがなく、表示装置の表示を見やすくすることが可能となる。
【０００７】
以上において、前述の掛止部および傾斜角度調節部は、人力によって塑性変形可能な長尺状の塑性部材を折り曲げて形成されているため、掛止部の形状を、被取付部の形状に応じて形成することが簡単に可能となるとともに、傾斜角度調節部も、力を加えることで、あらゆる角度にすることが簡単に可能となる。これにより、種々の被取付部毎に装置取付具を形成する必要がなく、例えば、表示装置の裏面に沿って上下に延びる所定寸法の長尺状の塑性部材を製造しておけば、折り曲げることで形成できるので、コストが低減され、製造作業も容易となる。また、塑性部材で形成されたため、形状がその状態で保持されるので、表示装置を見るたびに傾斜角度調節部の角度を合わせる必要がなく、使用者の作業負担を軽減することが可能となる。
【０００８】
また、前述の塑性部材は、金属製であり、この金属製の塑性部材の表面に樹脂を塗布したり、当該金属製の塑性部材をゴム材で被覆することが望ましい。
このようにすれば、樹脂やゴム材は、粘着性を有するので、被取付部における掛止部のずれや、ずれによる被取付部からの落下等を防止することが可能となる。特に、被取付部がプラスチック製や金属製の場合には、粘着性能が向上するので、掛止部のずれや、ずれによる上端部からの落下等を確実、かつ、容易に防止することが可能となる。
また、樹脂を塗布したり、ゴム材で被覆することで、金属製の塑性部材の酸化等による劣化を防止することが可能となり、これにより、当該塑性部材の耐久性能を向上させることが可能となる。
【０００９】
さらに、前述の装着部は、表示装置に着脱可能とされる棒状部を有し、表示装置において棒状部が装着される被装着部は、棒状部が内部に挿入される断面Ｃ字形の孔と、この孔の上部内側面に設けられ棒状部の孔からの脱落を防止する装着部脱落防止機構としての突出部とを有することが好ましい。
すなわち、装着部脱落防止機構としての突出部は、例えば、装着部が差し込まれる差込孔、およびこの差込孔の奥に装着部が表示装置の裏面に沿って上下方向に移動可能な断面Ｃ字形の移動孔とを備えた被装着部において、移動孔の上部内側面に内側に突出形成されている。
このようにすれば、一旦表示装置に取り付けた装置取付具を、装着部脱落防止機構によって装着状態に保持することが簡単に可能となるので、装置取付具から表示装置が外れるのを容易に防止することが可能となる。
その上、表示装置に装置取付具が着脱不可に固定されている場合に比べて、別個で持ち運ぶことが可能となるので、表示装置を持ち運ぶ際に、装置取付具が邪魔になることがなく、取り扱いを容易に行うことが可能となる。
【００１０】
さらに、装置取付具としては、前述の掛止部に、ボルト、釘等の取付部材が挿通可能な挿通孔を形成したり、傾斜角度調節部を、表示装置を水平設置するために変形可能としてもよい。このようにすれば、例えば、掛止部を壁等の被取付部にボルトで取り付けたりすることが可能となり、壁掛け等も行うことが可能となるとともに、水平面上に立て掛けることが可能となり、装置取付具の設置可能範囲を広げることが可能となる。
【００１１】
また、前述の塑性部材の上端および下端のうち、少なくともいずれか一方には、長手方向内側に凹んだ凹部が設けられていることが望ましい。
ここで、このような塑性部材で装置取付具を形成した場合、凹部は、掛止部および傾斜角度調節部のうち、少なくともいずれか一方の先端に設けられるものである。
このようにすれば、例えば、被取付部である立ち上がり部が格子状に配置された棒状部材を備えて形成されている場合、掛止部または傾斜角度調節部の先端に設けられた凹部に棒状部材を嵌装させることで、被取付部における掛止部のずれや、ずれによる被取付部からの落下等をより一層防止することが可能となる。
さらに、塑性部材の上端および下端のそれぞれに凹部が設けられていれば、つまり、掛止部および傾斜角度調節部の各先端に凹部が設けられていれば、被取付部に装置取付具を掛止した際、各凹部によって棒状部材を挟み込むことが可能となるので、被取付部における装置取付具のずれや回転、ひいては、表示装置の傾きや回転等を容易に防止することが可能となる。
【００１２】
【発明の実施の形態】
以下に本発明の実施の形態を図面に基づいて説明する。
図１には、本発明の第１実施形態に係る新生児等の被験者（図示略）が寝るための新生児用ベッド１が示されている。
新生児用ベッド１は、透明なプラスチック製であり、当該新生児が載置される載置部２と、この載置部２の周縁から上方に延びる、立ち上がり部３とを備え、上面が開口された断面コ字形状に形成されている。
このような新生児用ベッド１には、新生児の呼吸を含む体動を検出するための体動検出装置１０が設けられている。
【００１３】
体動検出装置１０は、被測定物である新生児の呼吸を含む体動を検出する検出マット１１と、この検出マット１１に加わる圧力変化を計測して呼吸を含む体動を検出し、かつ、この呼吸を含む体動の状態を表示および警報する表示装置１２とを備えて構成されている。
ここで、検出マット１１と表示装置１２とは、ゴム製のチューブ１２Ａによって相互に連結されているとともに、表示装置１２は、装置取付具２０によって、被取付部である立ち上がり部３に取り付けられている。
【００１４】
検出マット１１は、載置部２上に設置され、図示しないマット本体と、このマット本体を包み込む袋状のカバー部材である保護カバー１１Ａとを含んで構成されている。この際、検出マット１１の大きさは、新生児用ベッドに入る程度の大きさとなっている。前述の新生児は、この検出マット１１を介して載置部２に載置される。
表示装置１２は、直方体状に形成され、外部に露出する前面には、呼吸を含む体動の状態を表示する表示部１３が設けられている。
また、表示装置１２の立ち上がり部３に面する背面（裏面）には、図２に示されるように、その上部に、後述する装置取付具２０を装着するための一対の被装着部１４、１５が形成されている。さらに、これら一対の被装着部１４、１５の下方には、内部に装着されている電池をカバーするための電池カバー１６が設けられている。
【００１５】
装置取付具２０は、図３に示されるように、長方形板状、かつ長尺状の本体３１と、この本体３１の中央部分に、当該本体３１の長手方向に直交するように設けられている棒状部３２とを備えた取付具形成部材３０を折り曲げることで形成されたものであり、図４に示されるように、掛止部２１と、傾斜角度調節部２２と、装着部２３とを含んで構成されている。
本体３１は、銅板等の金属からなり、表示装置１２の裏面に沿って上下に延び、人力によって塑性変形可能な塑性部材３５と、この表面に当該塑性部材３５の形状に応じて塗布された塩化ビニル樹脂３３とを含んで構成されている。この本体３１には、棒状部３２を中心に対称となる略長方形状の開口３１Ａが形成されている。
【００１６】
掛止部２１は、図４に示されるように、立ち上がり部３の上端部に掛止されるものであり、前記本体３１の一端から棒状部３２までの当該本体３１の約上半分を折り曲げることで形成されている。
詳しくは、掛止部２１は、図４の矢印Ａで示されるように、棒状部３２近傍が立ち上がり部３側に折り曲げられているとともに、本体３１の一端近傍が、その一端を立ち上がり部３の内側面に当接させるように折り曲げられて形成されている。
【００１７】
傾斜角度調節部２２は、図４に示されるように、立ち上がり部３に対する表示装置１２の傾斜角度を調節する部分であり、前記本体３１の他端から棒状部３２までの当該本体３１の約下半分を折り曲げることで形成されている。
詳しくは、傾斜角度調節部２２は、図４の矢印Ｂで示されるように、本体３１の他端と棒状部３２との中間部分が、その他端を立ち上がり部３の外側面に当接させるように折り曲げられて形成されている。この折り曲げられている折曲部２２Ａの頂点部分は、表示装置１２の背面に当接している。
従って、立ち上がり部３に対する表示装置１２の傾斜角度を調節する場合、傾斜角度調節部２２を折り曲げたり、伸ばして、折曲部２２Ａの折曲角度θを変えることで調節が行えるようになっている。これにより、表示装置１２を、使用者Ｙの見やすい位置に簡単に設けることが可能となっている。
【００１８】
また、傾斜角度調節部２２は、表示装置１２側に頂点を有する折曲部２２Ａによって、例えば、表示装置１２の表示部１３側からの外力Ｐ（図４）に対して、当該折曲部２２Ａの変形ひいては、当該傾斜角度調節部２２の変形が抑制されるようになっている。このため、表示装置１２の表示部１３に外力Ｐ（図４）が加わり、当該表示装置１２が立ち上がり部３に接触（衝突）しそうになったとしても、当該接触を防止することが可能となっている。つまり、傾斜角度調節部２２は、表示装置１２と立ち上がり部３との接触を防止するための接触防止機構を備えている。
【００１９】
装着部２３は、前述の棒状部３２からなり、図５に示されるように、前記表示装置１２の被装着部１４、１５に着脱可能に形成されている。
ここで、被装着部１５は、図２および図５に示されるように、側面台形状に形成されており、その被装着部１４に面する側面には、一方の装着部２３が差し込まれる差込孔１５Ａが形成されている。この差込孔１５Ａ内には、装着部２３が挿入する挿入孔１５Ｂが形成されている。
また、被装着部１４は、図２および図５に示されるように、被装着部１５と同様に、側面台形状に形成されており、その被装着部１５に面する側面には、他方の装着部２３が差し込まれる差込孔１４Ａが形成されている。なお、この差込孔１４Ａは、正面視で、前記差込孔１５Ａよりも水平方向下側に形成されている。また、差込孔１４Ａの奥には、図６に示されるように、装着部２３が表示装置１２の背面に沿って上下方向に移動可能な断面Ｃ字形の移動孔１４Ｂが形成されている。そして、この移動孔１４Ｂの上部内側面には、内側に突出する突出部１４Ｃが形成されている。
【００２０】
従って、一方の装着部２３を被装着部１５の挿入孔１５Ｂに挿通させるとともに、他方の装着部２３を被装着部１４の差込孔１４Ａに差し込み、当該装着部２３を移動孔１４Ｂに沿って突出部１４Ｃよりも上方に持ち上げることで、装着部２３が表示装置１２に装着されるようになっている。
この際、他方の装着部２３は、表示装置１２から外そうと外力を加えない限り、突出部１４Ｃによって装着状態に保持されるようになっている。つまり、突出部１４Ｃは、装着部２３の脱落を防止する装着部脱落防止機構となっている。
なお、差込孔１４Ａの寸法は、装着部２３を差し込んだ際に、隙間Ｗがほとんどない寸法、言い換えれば、装着部２３が容易に抜けない寸法となっている。
【００２１】
次に、装置取付具２０の形成、取付手順を以下に説明する。
まず、図７に示されるように、表示装置１２の裏面に沿って上下に延びる取付具形成部材３０の棒状部３２における装着部２３となる両端部を、表示装置１２の被装着部１４、１５に装着する。
そして、立ち上がり部３上端部の形状に合わせ、本体３１の一端から棒状部３２までの当該本体３１の約上半分を折り曲げて掛止部２１を形成する。次に、本体３１の他端から棒状部３２までの当該本体３１の約下半分を折り曲げ、傾斜角度調節部２２を形成する。
そして、掛止部２１を立ち上がり部３の上端部に掛止させて表示装置１２を当該立ち上がり部３に取り付けるとともに、傾斜角度調節部２２の角度を使用者の見やすい角度に合わせる。
なお、装置取付具２０としては、取付具形成部材３０を表示装置１２に取り付けた状態で形成してもよいし、予め形成しておき、この形成したものを表示装置１２に取り付けるようにしてもよく、その順序は任意である。
【００２２】
このような本実施形態によれば、次のような効果が得られる。
すなわち、装置取付具２０は、装着部２３と、掛止部２１と、傾斜角度調節部２２とを含んで構成されているので、掛止部２１を立ち上がり部３に掛止した状態で傾斜角度調節部２２の傾斜角度を調節すれば、表示装置１２を、使用者の見やすい位置に簡単に設けることができる。これにより、ベッド１の形状等に影響されることがなく、表示装置１２の表示を見やすくすることができる。
【００２３】
また、掛止部２１および傾斜角度調節部２２を、表示装置１２の裏面に沿って上下に延びるとともに、人力によって塑性変形可能な塑性部材３５で形成したので、掛止部２１の形状を、立ち上がり部３の形状に応じて形成することが簡単にできるとともに、傾斜角度調節部２２も、力を加えることで、あらゆる角度にすることが簡単にできる。これにより、種々の立ち上がり部３毎に装置取付具２０を形成する必要がなく、コストが低減され、製造作業も容易にできる。
さらに、塑性部材３５で形成したので、人力等の外力を加えなければ、形状がその状態で保持され、表示装置１２を見るたびに傾斜角度調節部２２の角度を合わせる必要がなく、使用者の作業負担を軽減することができる。
【００２４】
また、金属製の塑性部材３５表面に塩化ビニル樹脂３３を塗布したので、塩化ビニル樹脂３３は、粘着性を有することから、立ち上がり部３における掛止部２１のずれや、ずれによる立ち上がり部３からの落下等を防止することができる。特に、立ち上がり部３がプラスチック製なので、粘着性能が向上し、掛止部２１のずれや、ずれによる立ち上がり部３上端部からの落下等を確実、かつ、容易に防止することができる。
さらに、塩化ビニル樹脂３３を塗布することで、金属製の塑性部材３５の酸化等による劣化を防止することができ、これにより、当該塑性部材３５の耐久性能を向上させることができる。
【００２５】
また、表示装置１２に装着部脱落防止機構が設けられているので、一旦表示装置１２に取り付けた装置取付具２０を、装着部脱落防止機構によって装着状態に保持することが簡単にでき、装置取付具２０から表示装置１２が外れるのを容易に防止することができる。その上、表示装置１２に装置取付具２０が着脱不可に固定されている場合に比べて、別個で持ち運ぶことができるので、表示装置１２を持ち運ぶ際に、装置取付具２０が邪魔になることがなく、取り扱いを容易に行うことができる。
【００２６】
さらに、装置取付具２０に接触防止機構が設けられているので、表示装置１２の表示部１３に外力が加わり、表示装置１２が立ち上がり部３に接触（衝突）しそうになったとしても、接触防止機構によって当該接触が防止され、表示装置１２、立ち上がり部３ともに損傷等することがない。
【００２７】
図８には、本発明の第２実施形態に係る取付具形成部材３０Ａが示されている。なお、前記第１実施形態と同一または相当構成部品には同じ符号を付し、説明を省略もしくは簡略する。
本実施形態は、前記第１実施形態の取付具形成部材３０を、その上下端に、凹部４２Ａを設けた取付具形成部材３０Ａとしたものである。
詳しくは、取付具形成部材３０Ａは、図８に示されるように、長方形板状、かつ長尺状の本体４１と、この本体４１の中央部分に、当該本体４１の長手方向に直交するように設けられている棒状部３２とを備えて構成されている。
【００２８】
本体４１は、銅板等の金属からなり、表示装置１２の裏面に沿って上下に延び、人力によって塑性変形可能な塑性部材４２と、この表面に当該塑性部材４２の形状に応じて塗布された塩化ビニル樹脂４３とを含んで構成されている。この本体４１には、棒状部３２を中心に対称となる略長方形状の開口３１Ａが形成されている。
また、塑性部材４２の上端および下端には、長手方向内側に凹んだ凹部４２Ａが設けられている。この塑性部材４２には、塩化ビニル樹脂４３が当該塑性部材４２の形状に応じて塗布されていることから、本体４１の上端および下端は、当該塑性部材４２の上端および下端の形状と略同じ形状となっている。
【００２９】
装置取付具２０Ａは、前述の取付具形成部材３０Ａを折り曲げることで形成されたものであり、図９（Ａ）に示されるように、掛止部２１と、傾斜角度調節部２２と、装着部２３とを含んで構成されている。なお、この装置取付具２０Ａにおける前述の凹部４２Ａは、掛止部２１および傾斜角度調節部２２の先端に設けられている。
この際、新生児用ベッド１Ａは、図９（Ｂ）にも示されるように、新生児が載置される図示しない載置部と、この載置部の周縁から上方に延びる、複数の棒状部材３Ｂを有する立ち上がり部３Ａとを備えた鉄製のカゴ形ベッドである。
【００３０】
掛止部２１および傾斜角度調節部２２の先端にそれぞれ設けられている凹部４２Ａ間には、棒状部材３Ｂが嵌装され、これにより、２つの凹部４２Ａで１つの棒状部材３Ｂが挟み込まれている。
なお、２つの凹部４２Ａで１つの棒状部材３Ｂを挟み込む場合、新生児用ベッド１Ａの立ち上がり部３Ａの上端部に掛止部２１を掛止し、装置取付具２０Ａ自体を水平方向に移動させることで、容易に行えるようになっている。
【００３１】
このような本実施形態によれば、前記実施形態と同様の効果が得られるうえ、凹部４２Ａに棒状部材３Ｂを嵌装させたので、立ち上がり部３Ａにおける掛止部２１のずれや、ずれによる立ち上がり部３Ａからの落下等をより一層防止することができる。
【００３２】
また、掛止部２１および傾斜角度調節部２２の各先端に凹部４２Ａを設けたので、立ち上がり部３Ａに装置取付具２０Ａを掛止した際、２つの凹部４２Ａによって１つの棒状部材３Ｂを挟み込むことができ、これにより、立ち上がり部３Ａにおける装置取付具２０Ａのずれや回転、ひいては、表示装置１２の傾きや回転等を容易に防止することができる。
【００３３】
なお、本発明は前記実施の形態に限定されるものではなく、本発明の目的を達成できる他の構成等を含み、以下に示すような変形等も本発明に含まれる。
例えば、前記実施形態では、装置取付具は、立ち上がり部に掛止されるようになっていたが、これに限らず、例えば、掛止部を形成する部分の開口３１Ａを、ボルト、釘等の取付部材を挿通する挿通孔とし、この開口３１Ａにボルトを挿通することで、当該掛止部を壁等に取り付け、壁掛け等を行ってもよいし、傾斜角度調節部を表示装置を水平設置するために変形可能とし、当該傾斜角度調節部の折り曲げ角度を調節して床等の水平面上に設置するようにしてもよい。このようにすれば、装置取付具の設置可能範囲を広げることができる。
【００３４】
また、前記実施形態では、金属製の塑性部材の表面に樹脂３３を塗布していたが、これに限らず、例えば、図１０に示されるように、ゴム材３４で被覆してもよい。このようにすれば、前記実施形態と同様に、掛止部のずれや、ずれによる上端部からの落下等を確実、かつ、容易に防止することができるとともに、塑性部材の耐久性能を向上させることができる。
さらに、金属製の塑性部材としては、銅板に限らず、例えば、図１０に示されるように、銅棒の金属からなる塑性部材３５Ａでもよい。
【００３５】
また、前記実施形態では、装置取付具に接触防止機構が設けられていたが、これに限らず、例えば、表示装置１２の表示部１３に外力が加わっても、変形しないような強度を有していれば、なくてもよい。
【００３６】
さらに、前記実施形態では、表示装置に装着部脱落防止機構が設けられていたが、これに限らず、例えば、装置取付具が表示装置に着脱不可となるように固定されていれば、なくてもよい。
【００３８】
さらに、掛止部は、前記実施形態の形状に限らず、被取付部の形状によって形成すればよく、実施に当たって適宜決めればよい。
【００３９】
また、前記第２実施形態では、塑性部材に凹部を設けたが、これに限らず、例えば、凸部を設け、掛止部および傾斜角度調節部の先端を棒状部材間に嵌め込むようにしてもよいし、立ち上がり部が棒状部材を有するものでなければ、なくてもよい。
【００４０】
さらに、新生児用ベッドとしては、プラスチック製や、鉄製のカゴ形ベッドに限らず、例えば、木製等の一般家庭で使用されている乳児用ベビーベッド等が採用できる。
【００４１】
【発明の効果】
以上に述べたように、本発明の装置取付具によれば、表示装置が装着される装着部と、被取付部に掛止される掛止部と、被取付部に対する表示装置の傾斜角度を調節可能な傾斜角度調節部とを含んで構成したので、ベッドの形状等に影響されることがなく、表示装置の表示を見やすくすることができるという効果がある。
【図面の簡単な説明】
【図１】本発明の第１実施形態における新生児用ベッドを示す斜視図である。
【図２】前記実施形態における表示装置の背面図である。
【図３】前記実施形態における取付具形成部材を示す図である。
【図４】前記実施形態における新生児用ベッドに取り付けられた表示装置を示す断面図である。
【図５】前記実施形態における装着部の装着を示す分解斜視図である。
【図６】前記実施形態における装着部の装着部の装着手順を示す断面図である。
【図７】前記実施形態における装置取付具の形成手順を示す背面図である。
【図８】本発明の第２実施形態における取付具形成部材を示す図である。
【図９】前記実施形態におけるカゴ形ベッドに取り付けられた表示装置を示す（Ａ）断面図、および（Ｂ）底面図である。
【図１０】本発明の変形例であって、取付具形成部材を示す図である。
【図１１】従来例であって、表示装置の取付状態を示す断面図である。
【図１２】従来例であって、表示装置の他の取付状態を示す断面図である。
【符号の説明】
３  被取付部である立ち上がり部
１２  表示装置
１４Ｃ  装着部脱落防止機構である突出部
２１  掛止部
２２  傾斜角度調節部
２３  装着部
３３  塩化ビニル樹脂
３４  ゴム材
３５  塑性部材
４２Ａ  凹部
【図１】
0003715875.tif 000002
【図２】
0003715875.tif 000003
【図３】
0003715875.tif 000004
【図４】
0003715875.tif 000005
【図５】
0003715875.tif 000006
【図６】
0003715875.tif 000007
【図７】
0003715875.tif 000008
【図８】
0003715875.tif 000009
【図９】
0003715875.tif 000010
【図１０】
0003715875.tif 000011
【図１１】
0003715875.tif 000012
【図１２】
0003715875.tif 000013